(57)【要約】      （修正有）【課題】固定照明器具と移動照明器具の二つ機能を兼ね備えるＬＥＤ多用途照明器具を提供する。【解決手段】スイッチ３付きの外カバー１と、外カバー内に内蔵する回路と、外カバー前部に回路と接続するＬＥＤ発光ダイオードを配列する。一端の外カバー１と後部のパイプ４がつなぎながら、外カバーを貫通したパイプは外カバー１と相対的にスライドができるようにする。パイプの片方に上記回路と口金５を取り付け、パイプの中に回路と接続する充電池を内蔵させる。【選択図】図２
0003171438.tif 000002
【実用新案登録請求の範囲】
【請求項１】
スイッチ付きの外カバー。外カバー内に回路が内蔵。外カバー前部は回路と接続するＬＥＤ発光ダイオードが配列する。一端の外カバーと後部のパイプがつなぎながら、外カバーを貫通したパイプは外カバーと相対的にスライドができる。パイプの片方に上記回路と口金が取り付けられている。パイプの中に回路と接続する充電池が内蔵。
前記外カバー後部の円型リングの内側に中央凸起のロックがあり、前記パイプの外側に竪方向凹溝があり、凹溝の両端に横方向凹溝があり、凸起のロックが竪方向凹溝の中に入るときに、パイプは外カバーと相対的に竪軸スライドができる。凸起ロックが横方向凹部に入るときは、スライドがロックされ、パイプと外カバーが固定される状態を特徴とするＬＥＤ多用途照明器具。
【請求項２】
前記請求項１のネジ式口金、またはスワンベース式口金が有することを特徴とするＬＥＤ多用途照明器具。
【請求項３】
前記請求項２の外カバーは杯状体、または円柱体を特徴とするＬＥＤ多用途照明器具。
【考案の詳細な説明】
【技術分野】本実用新型ダイオード照明器具に属する。とくに固定照明器具と移動照明器具の二つ機能を兼ね備えるＬＥＤ多用途照明器具を提案する。
【背景技術】
【０００１】発光ダイオードは節電、環境にやさしい、安全、長寿命などの優れた特徴があり、幅広く使われている。最初に使われているモニター、装飾ライトから各種照明器具に発展してきた。徐々に伝統照明器具の代わりになってきている。移動照明器具の懐中電灯の多くは白熱ライトを光源とし、乾電池を電源としている。命が短い、使い終わった電池の環境への汚染、機能の単一などの欠点がある。
【考案が解決しようとする課題】
【０００２】固定照明器具と移動照明器具の二つ機能を兼ね備えるＬＥＤ多用途照明器具がほとんどない。また移動照明器具の懐中電灯の多くは白熱ライトを光源とし、乾電池を電源としている。命が短い、使い終わった電池の環境への汚染、機能の単一などの欠点があります。現代社会の環境保護、長寿命、多機能の需要に対応できない。市場は伝統光源の代わりに、エコ、節電、安全な新光源を求めている。
【課題を解決するための手段】
【０００３】本実用新案のＬＥＤ多用途照明器具は、今までの移動照明器具：懐中電灯の短寿命、環境汚染、機能単一の技術問題をクリアし、長寿命、環境にやさしい、多機能のＬＥＤ多用途照明器具を提案する。
【０００４】技術上の問題をクリアするため、本実用新案は以下の構造になっている。その特徴は：スイッチ付きの外カバーと、外カバー内に回路が内蔵。外カバー前部は回路と接続するＬＥＤ発光ダイオードが配列する。一端の外カバーと後部のパイプがつなぎながら、外カバーを貫通したパイプは外カバーと相対的にスライドができる。パイプの片方に上記回路と口金が取り付けられている。パイプの中に回路と接続する充電池が内蔵。
【０００５】前記外カバー後部の円型リングの内側に中央凸起のロックがあり、前記パイプの外側に竪方向凹溝があり、凹溝の両端に横方向凹溝があり、凸起のロックが竪方向凹溝の中に入るときに、パイプは外カバーと相対的に竪軸スライドができる。凸起ロックが横方向凹部に入るときは、スライドがロックされ、パイプと外カバーが固定される状態となる。
【０００６】前記口金はネジ式のもの、またはスワンベースの口金である。
前記外カバーは杯状体、または円柱体である。
【考案の効果】
【０００７】本実用新案の多用途照明器具の外カバーと後部のパイプがつなぎながらスライドができる。パイプの中に回路と接続する充電池が内蔵。外カバーの中に、パイプが縮んだ時に、パイプ後部の口金がソケットとセットすれば、固定照明器具となる。パイプを外へ伸ばし出す時に、手がパイプを握り、スイッチを操作し、移動可能の照明器具になる。
【０００８】本実用新案は、固定照明器具と移動照明器具の二つ機能を兼ね備え、多用途で、ユーザーにとって大変便利なツールである。新しい光源ＬＥＤを用いることによって、安全かつ環境に優しく、長寿命使用が可能。
【考案を実施するための最良の形態】
【０００９】図１〜図３は本ＬＥＤ多用途照明器具の基本構造。ＬＥＤ多用途電球は、スイッチ（３）付きの外カバー（１）。外カバー内に回路が内蔵。外カバー前部は回路と接続するＬＥＤ発光ダイオードが配列する（２）。一端の外カバー（１）と後部のパイプ（４）がつなぎながら、外カバーを貫通したパイプは外カバー（１）と相対的にスライドができる。パイプの片方に上記回路と口金（５）が取り付けられている。必要に応じて、各規格の口金が取り付けられる、例えば、スワンベース式口金。パイプの中に回路と接続する充電池が内蔵。本実施例の中、外カバー（１）は杯状体、またその他形状でも可能、例えば円柱体。外カバー（１）後部の円型リング（６）の内側に中央凸起のロック（７）があり、パイプ（４）の外側に竪方向凹溝（８）があり、凹溝の両端に横方向凹溝（９）があり、凸起のロック（７）が竪方向凹溝（８）の中に入るときに、パイプ（４）は外カバー（１）と相対的に竪軸スライドができる。凸起ロック（７）が横方向凹部（９）に入るときは、スライドがロックされ、パイプと外カバー（１）が固定される状態である。図１をご参考ください。【００１０】凸起ロック（７）を竪方向凹溝（８）の中に入るときに、パイプ（４）を一番高い位置にスライドさせてから右へ回して、パイプ（４）下部の横方向凹部（９）に入るときは、外カバー（１）とパイプ（４）の動きをロックする。パイプを外へ伸ばし出す時に、手がパイプを握り、スイッチを操作し、移動可能の照明器具になる。パイプ（４）を左へ回し、凸起ロック（７）を竪方向凹溝（８）の中に入るとき、パイプ（４）を外カバー（１）に縮ませてから、右へ回します。そうすれば、パイプ（４）と外カバー（１）が固定される。外カバーの中に、パイプが縮んだ時に、パイプ後部の口金がソケットとセットすれば、固定照明器具となる。例えば図４
本実用新案は、固定照明器具と移動照明器具の二つ機能を兼ね備え、多用途で、ユーザーにとって大変便利なツールである。新しい光源ＬＥＤを用いることによって、安全かつ環境に優しく、長寿命使用が可能。
【図面の簡単な説明】
【図１】は本実用新案の新型パイプ伸ばすときの正面図
【図２】は図１の左側図
【図３】は図１の底面図
【図４】は本実用新案の新型パイプ縮むときの正面図
【図１】
0003171438.tif 000003
【図２】
0003171438.tif 000004
【図３】
0003171438.tif 000005
【図４】
0003171438.tif 000006
【手続補正書】
【提出日】平成23年8月11日(2011.8.11)
【手続補正１】
【補正対象書類名】実用新案登録請求の範囲
【補正対象項目名】全文
【補正方法】変更
【補正の内容】
【実用新案登録請求の範囲】
【請求項１】
本実用新案において、（１）スイッチ付きの外カバー、外カバー内に回路が内蔵、外カバー前部は回路と接続するＬＥＤ発光ダイオードが配列する、（２）一端の外カバーと後部のパイプがつなぎながら、外カバーを貫通したパイプは外カバーと相対的にスライドができる、パイプの片方に上記回路と口金が取り付けられている、パイプの中に回路と接続する充電池が内蔵、（３）前記外カバー後部の円型リングの内側に中央凸起のロックがあり、前記パイプの外側に竪方向凹溝があり、凹溝の両端に横方向凹溝があり、凸起のロックが竪方向凹溝の中に入るときに、パイプは外カバーと相対的に竪軸スライドができる、凸起ロックが横方向凹部に入るときは、スライドがロックされ、パイプと外カバーが固定される、  以上からなるＬＥＤ多用途照明器具。
【請求項２】
ネジ式口金、またはスワンベース式口金を有することを特徴とする請求項１に記載のＬＥＤ多用途照明器具。
【請求項３】
前記外カバーは杯状体、または円柱体を特徴とする請求項１に記載のＬＥＤ多用途照明器具。